(57)【要約】【課題】前処理の違い等に制限されることなく、一つのセンサで少なくとも二種類の任意の成分の測定を行うことができる血液成分測定用使捨センサカードを提供すること。【解決手段】本発明に係る血液成分測定用使捨センサカードは、血液中の測定すべき測定成分に対する反応試薬が設けられた測定部と、別体の測定装置に接続可能な端子とを有する電極系が少なくとも２組形成された基板を備え、少なくとも各電極系の測定部位上を通過する２本以上の独立した流路と、全ての流路の上流端と繋がる一つの血液導入保持部とを有し、前記各流路の下流端に各々吸引用開口を設けたことを特徴とする。【選択図】  図１
2004245735.tif 000002
【特許請求の範囲】
【請求項１】
血液中の測定すべき測定成分に対する反応試薬が設けられた測定部と、別体の測定装置に接続可能な端子とを有する電極系が少なくとも２組形成された基板を備え、
少なくとも各電極系の測定部位上を通過する２本以上の独立した流路と、
全ての流路の上流端と繋がる一つの血液導入保持部と
を有し、
前記各流路の下流端に各々吸引用開口を設けた
ことを特徴とする血液成分測定用使捨センサカード。
【請求項２】
前記血液導入保持部に血液の凝集を阻害する物質を付与した
ことを特徴とする請求項１に記載の血液成分測定用使捨センサカード。
【請求項３】
各流路における吸引開口と電極の測定部位との間の位置に、気体透過性と液体不透過性との両方の性質を具備する封止部材を設けた
ことを特徴とする請求項１又は２に記載の血液成分測定用使捨センサカード。
【請求項４】
少なくとも一つの流路における測定部と血液保持部との間に、血球分離フィルタを設けた
ことを特徴とする請求項１〜３の何れか一項に記載の血液成分測定用使捨センサカード。
【請求項５】
少なくとも流路における前記フィルタを配置した部分がセンサ平面に対して垂直であり、
前記血球分離フィルタが、ガラス繊維不織布と多孔性フィルタとを順次積層してなる
ことを特徴とする請求項４に記載の血液成分測定用使捨センサカード。
【請求項６】
前記ガラス繊維不織布に、血球分離促進剤を保持した
ことを特徴とする請求項５に記載の血液成分測定用使捨センサカード。
【請求項７】
少なくとも一つの流路における測定部と血液保持部との間に、血球及び非ＨＤＬ成分除去フィルタを設けた
ことを特徴とする請求項１〜６の何れか一項に記載の血液成分測定用使捨センサカード。
【請求項８】
少なくとも流路における前記フィルタを配置した部分がセンサ平面に対して垂直であり、
前記血球及び非ＨＤＬ成分除去フィルタが、非ＨＤＬ沈殿剤を保持したガラス繊維不織布と多孔性フィルタとを順次積層してなる
ことを特徴とする請求項７に記載の血液成分測定用使捨センサカード。
【請求項９】
少なくとも一つの流路における測定部と血液保持部との間に、血球及び非ＬＤＬ成分除去フィルタを設けた
ことを特徴とする請求項１〜６の何れか一項に記載の血液成分測定用使捨センサカード。
【請求項１０】
少なくとも流路における前記フィルタを配置した部分がセンサ平面に対して垂直であり、
前記血球及び非ＬＤＬ成分除去フィルタが、非ＬＤＬ沈殿剤を保持したガラス繊維不織布と多孔性フィルタとを順次積層してなる
ことを特徴とする請求項７に記載の血液成分測定用使捨センサカード。
【請求項１１】
フィルタが設けられていない流路と、
測定部と血液保持部との間に、ＨＤＬ成分除去フィルタを設けた流路と
を有する
ことを特徴とする請求項１〜１０の何れか一項に記載の血液成分測定用使捨センサカード。
【請求項１２】
フィルタが設けられていない流路と、
測定部と血液保持部との間に、ＬＤＬ成分除去フィルタを設けた流路と
を有する
ことを特徴とする請求項１〜１０の何れか一項に記載の血液成分測定用使捨センサカード。
【発明の詳細な説明】
【０００１】
【発明の属する技術分野】
本発明は、血液中の特定成分を測定するために用いられる使捨センサカードの改良に関する。
【０００２】
【従来の技術】
従来から、血液等の生体試料液中の特定成分を迅速かつ簡便に定量するためのセンサは様々なものが提案されている。
具体的には、基板上に測定すべき特定成分と反応する反応層を含む一つの空間部を設け、この空間部に試料液の導入口と、空間部の気体を排出する排出口とを設けたバイオセンサが提案されている（特許文献１参照）。
【０００３】
【特許文献１】特公平０６−５８３３８号公報
【０００４】
【発明が解決しようとする課題】
上記した従来のバイオセンサは、試料液導入口に試料液を接触させると、試料液が毛細管現象により空間部の内部に導かれ、試料液が空間部の空気を排出口から排出しながら電極上に至るので、電極上に気泡が残ることなく、電極面を一様に試料液で濡らすことができるという効果を奏する。
ところで、血液中の測定すべき成分には多くの種類があり、その成分毎に測定前に必要な前処理も異なる。具体的には、例えば、特許文献１のようにグルコースを測定する場合には、患者から採血した血液をそのまま測定に用いることができるが、コレステロールや中性脂肪を測定する場合には、血液中の赤血球に含まれるカタラーゼが測定を阻害するために予め血液から血球を除去しておく必要があり、また、ＨＤＬを測定する場合には、血球に加えて、さらに非ＨＤＬ成分も除去しておく必要がある。さらに、測定成分によっては、血球を除去した血漿からさらにフィブリノーゲンを取り除いた血清を用いなければならない成分もある。
しかし、上記したように従来のバイオセンサは、試料液導入口も、測定すべき電極を配置した空間も一つしかないため、前処理の異なる成分を同時に測定することができない。このため測定対象項目が著しく制限されるという問題がある。
本発明は、上記した従来の問題点を解決し、前処理の違い等に制限されることなく、一つのセンサで少なくとも二種類の任意の成分の測定を行うことができる血液成分測定用使捨センサカードを提供することを目的としている。
【０００５】
【課題を解決するための手段】
上記した目的を達成するために、本発明に係る血液成分測定用使捨センサカードは、血液中の測定すべき測定成分に対する反応試薬が設けられた測定部と、別体の測定装置に接続可能な端子とを有する電極系が少なくとも２組形成された基板を備え、少なくとも各電極系の測定部位上を通過する２本以上の独立した流路と、全ての流路の上流端と繋がる一つの血液導入保持部とを有し、前記各流路の下流端に各々吸引用開口を設けたことを特徴とする。
前記血液導入保持部には、好ましくは、血液の凝集を阻害する物質、例えば、ヘパリン、クエン酸、シュウ酸、ＥＤＴＡ、又はアンチトロンビンＩＩＩ等が付与され得る。このヘパリン等の血液凝集阻害剤は、センサ製造時に予め血液導入保持部の壁面に塗布する等して付与され得る。
好ましくは、各流路における吸引開口と電極の測定部位との間の位置には、気体透過性と液体不透過性との両方の性質を具備する封止部材が設けられ得る。
また、必要に応じて、少なくとも一つの流路における測定部と血液保持部との間に、血球分離フィルタを設けることができる。この場合、好ましくは、少なくとも流路における前記フィルタを配置した部分をセンサ平面に対して垂直に構成し、前記血球分離フィルタは、ガラス繊維フィルタと多孔性フィルタとを順次積層することにより構成され得る。また、この場合、前記ガラス繊維不織布には、予めレクチン等の血球分離促進剤を保持しておいてもよい。
さらに、必要に応じて、少なくとも一つの流路における測定部と血液保持部との間に、血球及び非ＨＤＬ成分除去フィルタを設けてもよい。この場合、好ましくは、少なくとも流路における前記フィルタを配置した部分をセンサ平面に対して垂直に構成し、前記血球及び非ＨＤＬ成分除去フィルタは、非ＨＤＬ沈殿剤を保持したガラス繊維不織布と多孔性フィルタとを順次積層することで構成され得る。
【０００６】
【発明の実施の形態】
以下、添付図面に示した一実施例を参照して本発明に係る血液成分測定用使捨センサカード（以下、単にセンサカードと称する。）の実施の形態について説明する。
【０００７】
図１は、本発明に係るセンサカードの一実施例の展開斜視図である。
このセンサカードは、血液中のコレステロール、中性脂肪及びＨＤＬを測定できるように構成されている。
図面に示すように、このセンサカードは、
試料液の流路を形成する８枚のフィルム１〜８と、
３つのフィルタ９〜１１と、
電極及び端子が形成された１枚の基板１２と
から構成されている。
【０００８】
最も上方に位置するフィルム１は、０．１２５ｍｍの厚みを有するポリエチレン・テレフタレートフィルム（以下、ＰＥＴフィルム）である。
２番目に位置するフィルム２は上面に接着面を有する厚さ０．１５ｍｍの片面粘着テープから成り、その一端部に、血液導入保持部Ａを形成するための切欠き２ａと、後述するフィルム３の切欠き３ａと連通する二つの独立した開口２ｂ及び２ｃとが各々形成されている。
３番目に位置するフィルム３は、両面に接着面を有する厚さ０．３ｍｍの両面粘着テープから成り、その一端部に、上記フィルム２の切欠き２ａと共に、血液導入保持部を形成する切欠き３ａが形成されている。この切欠き３ａは、前記フィルム２の開口２ｂ及び２ｃと、後述するフィルム４の開口４ａ及び４ｂと連通するように前記フィルム２の切欠き２ａより内側に広く切欠かれている。
４番目に位置するフィルム４は、０．１２５ｍｍの厚みを有するＰＥＴフィルムからなり、第１流路を形成する開口４ａと第２流路を形成する開口４ｂとが各々形成されている。
５番目に位置するフィルム５は、両面に接着面を有する厚さ０．７２５ｍｍの両面粘着テープから成り、その一端部には、前記フィルム４の開口４ａと連通する開口５ａと、前記フィルム４の開口４ｂと連通する開口５ｂとが各々形成されている。
【０００９】
前記開口５ａには、ガラス繊維不織布９が嵌め込まれる。このガラス繊維不織布９は、フィルム５と同じ厚みで、１〜１０μｍの孔径を有し、かつ横断面形状が開口５ａと同形同寸に形成され、血漿に比べて血球の進行速度を遅らせる血球進行遅延フィルタとして機能する。また、このガラス繊維不織布９には、予め血球分離促進剤としてレクチンが乾燥保持されており、このレクチンとの反応により血球の進行速度の遅延効果を増大させている。
また、前記開口５ｂにも同様に、ガラス繊維不織布１０がはめ込まれている。このガラス繊維不織布１０は、フィルム５と同じ厚みで、１〜１０μｍの孔径を有し、かつ横断面形状が開口５ｂと同形同寸に形成されている。また、このガラス繊維不織布１０には、予め非ＨＤＬ沈殿剤が乾燥保持されており、これにより、このガラス繊維不織布１０は、血球の進行を遅らせると共に、非ＨＤＬ成分をトラップする血球進行遅延兼非ＨＤＬ成分除去フィルタとして機能する。
フィルム５（即ち、上記した二つの独立したフィルタ９及び１０）と後述するフィルム６との間には、多孔性ポリエステルメンブレン１１が設けられている。この多孔性ポリエステルメンブレン１１には、垂直方向（即ち、流路の進行方向）に沿って伸びる孔径０．５〜４μｍの範囲の孔が多数形成されており、前記ガラス繊維不織布９及び１０の作用で血漿の後に通ることになる血球をトラップする血球除去フィルタとして機能する。
【００１０】
６番目に位置するフィルム６は、両面に接着面を有する厚さ０．０６ｍｍの両面粘着テープから成り、その一端部には、前記開口５ａ及び５ｂに嵌めこまれた前記ガラス繊維不織布９及び１０と前記多孔性ポリスチレンメンブレン１１とを介して、フィルム４の開口４ａ及び４ｂと各々連通する独立した開口６ａ及び６ｂが形成されている。
７番目に位置するフィルム７は、厚さ０．１２５ｍｍのＰＥＴフィルムからなり、前記フィルム６の開口６ａ及び６ｂと各々連通する独立した開口７ａ及び７ｂが形成されている。
８番目に位置するフィルム８は、両面に接着面を有する厚さ０．１ｍｍの両面粘着テープからなる。
このフィルム８には、
一端が前記開口７ａと連通し、後述する基板１２の第１測定部Ｂの上面を通過して、同基板１２に形成された吸引用開口Ｄまでフィルムの長手方向に沿って伸びる細長い開口８ａと、
一端が前記開口７ｂと連通し、後述する基板１２の第２測定部Ｃの上面を通過して、同基板１２に形成された吸引用開口Ｅまでフィルムの長手方向に沿って伸びる細長い開口８ｂと
が各々形成されている。
前記細長い開口８ａ及び８ｂは、後述する基板１２の測定部Ｂ及びＣに対応する部分が幅広に形成され、この幅広部分から下流に向けて細くなった後、後述する基板１２の吸引用開口Ｄ及びＥに対応する部分で再び幅広になるように形成されている。
細長い開口８ａにおける測定部Ｂに対応する幅広部分と吸引開口Ｃに対応する幅広部分との間の細い流路部分には、気体透過性と液体不透過性との両方の性質を具備する封止部材１３ａが設けられている。
同様に、細長い開口８ｂにおける測定部Ｃに対応する幅広部分と吸引開口Ｅに対応する幅広部分との間の細い流路部分には、気体透過性と液体不透過性との両方の性質を具備する封止部材１３ｂが設けられている。
これらの封止部材１３ａ及び１３ｂは、例えば、吸水性ポリマーから成る繊維や疎水性ポリマーから成る繊維を用いて形成されたものが用いられる。具体的には、封止部材１３ａ及び１３ｂは、例えば、適当な芯材に前記繊維をコーティングする等して形成され得る。吸水性ポリマーを用いると、血液が接触した時に、吸水性ポリマーが血液を吸収して膨潤し、それ以上血液を通さなくなり、また、疎水性ポリマーを用いると表面張力により血液を通さなくなる。
前記吸水性ポリマーとしては、例えば、多糖及び／又はその誘導体、アクリル系高分子、ポリビニルアルコール、ゼラチン、コラーゲン又は無水マレイン酸を含むブロックコポリマー等が用いら得る。
前記疎水性ポリマーとしては、例えば、ポリエステル、シリコン、フッ素樹脂、又はポリエチレン等が用いられ得る。
【００１１】
最後に、基板１２について図１及び図２を参照して説明する。
図２は、図１における基板１２の拡大図である。
基板１２にはポリエステルフィルムからなり、第１測定部Ｂと第２測定部Ｃとが形成されている。
第１測定部Ｂは、コレステロール測定用の一対の電極Ｂ１及びＢ２と、中性脂肪測定用の一対の電極Ｂ３及びＢ４と、対極Ｂ５とからなる。
第２測定部Ｃは、ＨＤＬ測定用の一対の電極Ｃ１及びＣ２と、対極Ｃ３とから成る。
前記コレステロール測定用の一対の電極Ｂ１及びＢ２のうちの一方の電極Ｂ１の測定部位上には、コレステロール測定試薬としてコレステロールエステラーゼ、コレステロールオキシダーゼ、電子受容体が滴下乾燥により保持されており、他方の電極Ｂ２の測定部位上には、コレステロールエステラーゼ、電子受容体が保持されている。
前記中性脂肪測定用の一対の電極Ｂ３及びＢ４のうちの一方の電極Ｂ３の測定部位上には、中性脂肪測定試薬としてリパーゼ、グリセロールキナーゼ、グリセロリン酸オキシダーゼ、電子受容体が保持されており、他方の電極Ｂ４の測定部位上には、グリセロールキナーゼ、グリセロリン酸オキシダーゼ、電子受容体が保持されている。
前記ＨＤＬ測定用の一対の電極Ｃ１及びＣ２のうちの一方の電極Ｃ１の測定部位上には、ＨＤＬ測定のためにコレステロールエステラーゼ、コレステロールオキシダーゼ、電子受容体が滴下乾燥により保持されており、他方の電極Ｃ２の測定部位上には、コレステロールエステラーゼ、電子受容体が保持されている。
上記したように、各測定項目に対して各々一対の電極を設け、一方の電極に測定に必要な全ての試薬を保持し、他方の電極に測定に必要な全ての試薬から一つを除いたものを保持することにより、測定装置で両電極で得られる反応値の差から、コレステロール、中性脂肪、ＨＤＬ成分を測定することができるように構成されている。
ＨＤＬ成分については、予めガラス繊維不織布１０により非ＨＤＬ成分を除去すると共に、ガラス繊維不織布１０と多孔性ポリエステルメンブレン１１１との組み合わせで予め血球を除去しておくことにより、コレステロール測定試薬を用いてＨＤＬ成分の測定をすることを可能にしている。
前記した各電極は、基板上に銅箔を接着した後、フォトリソグラフィ法により所望のパターンを形成して成る。
測定用電極Ｂ１、Ｂ２、Ｂ３、Ｂ４、Ｃ１及びＣ２の測定部位表面には金メッキ又は白金メッキが施されている。また、対極Ｂ５およびＣ３には、パターン上に、さらに銀粉末と塩化銀粉末とを含有した導電性ペーストからなる導電層がスクリーン印刷により形成されている。
また、電極上にフォトリソグラフィ法により測定部位及び端子部位のみが露出するようにＵＶ硬化型ポリエステル樹脂からなる絶縁レジストを形成した。本実施例では、絶縁性レジストの形成にフォトリソグラフィ法を用いることにより、各測定部位の露出部分の径を０．６φにすることができた。このように、測定部位の露出部分を小さくすることにより、測定に必要な血液の量を大幅に減らすことができ、患者の負担も軽くすることができるという効果を奏する。
【００１２】
上記フィルム１〜８と３つのフィルタ９〜１１は、全て、基板１２上に積層される。
上記したようにフィルムとフィルムの間又はフィルムと基板の間に挟まれるフィルム２、３、５、６及び８は、それ自体が片面テープ又は両面テープで構成されているため単に位置を合わせて積重ねるだけで各フィルムが基板上に液密及び気密に接着されてセンサカードが簡単に製造できる。
全てのフィルム１〜８とフィルタ９〜１１とを基板１２上に積層すると、フィルム１、フィルム２の切欠き２ａ、フィルム３の切欠き３ａ及びフィルム４によって血液導入保持部Ａが形成される。フィルム１及びフィルム４における、この血液導入保持部Ａに対応する部分には、予めヘパリン等の血液の凝集を阻害する物質が塗布されており、これにより、血液導入保持部Ａにある程度の時間、血液を保持しておくことを可能にしてある。
また、全てのフィルム１〜８とフィルタ９〜１１とを基板１２上に積層すると、開口４ａ、開口５ａ内に嵌めこまれたガラス繊維不織布９、多孔性ポリエステルメンブレン１１、開口６ａ、開口７ａ、細長い開口８ａ及び吸引用開口Ｄが全て連通して、第１流路Ｆが形成される。この第１流路Ｆは、その上流端が前記血液導入保持部Ａに連通し、基板１２に形成された第１測定部Ｂの上面を通過して吸引用開口Ｄに至る。
また、同時に、開口４ｂ、開口５ｂに嵌めこまれたガラス繊維不織布１０、多孔性ポリエステルメンブレン１１、開口６ｂ、開口７ｂ、細長い開口８ｂ及び吸引用開口Ｅが全て連通して、第２流路Ｇが形成される。この第２流路Ｇは、その上流端が前記血液導入保持部Ａに連通し、基板１２に形成された第２測定部Ｃの上面を通過して吸引用開口Ｅに至る。
前記第１流路Ｆ及び第２流路Ｇは、図１に示すように、共に、血液導入保持部Ａから第１測定部Ｂ及び第２測定部Ｃと同一平面上に至るまでは基板１２に対して垂直であり、そこから基板１２に対して水平になり、さらに、吸引用開口Ｄ及びＥを介して基板１２に対して垂直方向に開口している。そして、フィルタとして機能するガラス繊維不織布９及び１０並びに多孔性ポリエステルメンブレン１１は、全て、流路Ｆ及びＧの、基板に垂直な部分に配置されている。
【００１３】
以下に、上記したように構成されたセンサカードの使用例について簡単に説明していく。
このセンサカードは、端子を接続可能な入力部と、二つの吸引開口を介して二つの流路内の試液を各々独立して吸引することができるように構成されたポンプを有する測定装置にセットして使用される。
使用者は、センサカードを測定装置にセットした後、一方が外部に開放された血液導入保持部Ａに血液を導入する。
導入直後の血液は、表面張力により第１流路Ｆ及び第２流路Ｇへは流れずに血液導入保持部Ａに保持される。
ここで、始めに、血液導入保持部Ａの中にある血液が、その表面張力に抗して第２流路Ｇに流れ、フィルタ１０に接触するまで第２流路Ｇ側の吸引開口Ｅを介してポンプで吸引する。血液が接触するとフィルタ１０は、その容量を満たすまで血液を自ら吸収する。
次いで、血液導入保持部Ａにある血液が、その表面張力に抗して第１流路Ｆに流れ、フィルタ９に接触するまで第１流路Ｆ側の吸引開口Ｄを介してポンプで吸引する。血液が接触するとフィルタ９は、その容量を満たすまで血液を自ら吸収する。
この状態で、フィルタ９における血球分離促進剤と血液とが十分に反応するまで待機し、十分な反応時間経過後、再び、フィルタ９中の血液がフィルタ１１を介して開口６ａ、７ａ及び８ａの順に流れ、基板１２の第１測定部Ｂを通って開口８ａの封止部材１３ａに達するまで第１流路Ｆ側の吸引開口Ｄを介してポンプで吸引する。
これにより、フィルタ１１の作用で血球が除去された血漿だけが第１流路Ｆにおけるフィルタ１１の下流から封止部材１３ａまでの間に満たされる。尚、この時、フィルタ９の独自の血球進行遅延作用に加えて、血球分離促進剤との反応により、フィルタ９において血球の進行が血漿に進行に対して十分に遅らせられるので、血漿が、第１測定部Ｂの上方を通って封止部材１３ａに達する前にフィルタ１１が血球で詰まってしまうことはない。
次いで、非ＨＤＬ沈殿剤と血液との十分な反応時間経過後、再び、フィルタ１０中の血液がフィルタ１１を介して開口６ｂ、７ｂ及び８ｂの順に流れ、基板１２の第２測定部Ｃ上を通って開口８ｂの封止部材１３ｂに達するまで第２流路Ｇ側の吸引開口Ｅを介して測定装置のポンプで吸引する。
これにより、フィルタ１０で非ＨＤＬ成分が除去されると共に、フィルタ１１で血球が除去され、血球及び非ＨＤＬ成分が除去された血漿だけが第２流路Ｇにおけるフィルタ１１の下流から封止部材１３ｂまでの間に満たされる。
上記したように、このセンサカードは、測定すべき血漿（又は非ＨＤＬ成分が除去された血漿）が、第１測定部Ｂ及び第２測定部Ｃ上を通って封止部材１３ａ，１３ｂまで満たされるように構成されているため、各電極の電極面の濡れに関わらず、一定量の血漿を、行き過ぎの心配なく、電極上に導くことができるので測定が非常に安定する。
【００１４】
上記したように、本実施例に係るセンサカードは、血液導入保持部に血液凝集阻害剤として予めヘパリンを塗布する例を挙げているが、血液凝集阻害剤は本実施例に限定されることなく、血液の凝集を阻害することができる物質であれば任意の物質でよく、例えばクエン酸、シュウ酸、ＥＤＴＡ、アンチトロンビン■等でもよい。
また、上記した実施例では、一つの血液導入保持部に繋がる２本の流路Ｆ及びＧを有するセンサカードを例に挙げて説明しているが、流路の数は本実施例に限定されることなく、２本以上であれば任意の数でよい。
さらに、上記した実施例では、一方の流路に血球除去フィルタ９及び１１を設け、他方の流路に血球及び非ＨＤＬ成分除去フィルタ１０及び１１を設けているが、これらフィルタの有無及び種類は、本実施例に限定されることなく、測定すべき成分に応じて任意に決めることができる。具体的には、例えば、ＬＤＬコレステロールを測定する場合には、非ＬＤＬ成分を除去するフィルタまたはＬＤＬを除去するフィルタが設けられ、また酵素アイソザイムを測定する場合には、特定のアイソザイムを除去するフィルタまたは特定のアイソザイム以外の酵素を除去するフィルタが設けられ得る。
また、上記した実施例では、非ＨＤＬ成分を除去することによって、ＨＤＬを測定するように構成されているが、これは本実施例に限定されることなく、例えば、フィルタを設けない流路と、ＨＤＬ成分を除去可能なフィルタを有する流路とを設け、両方の流路においてコレステロールを測定し、両者の差に基いてＨＤＬ成分を測定するように構成してもよい。
さらに、ＬＤＬ成分についても、同様に、例えば、フィルタを設けない流路と、ＬＤＬ成分を除去可能なフィルタを有する流路とを設け、両方の流路における測定値の差に基いてＬＤＬ成分を測定するように構成してもよい。
また、フィルタはこれらの例に限定されることなく、試料中のある成分を除去することにより、特定物質の測定が可能になる場合に広く用いることができる。
【００１５】
【発明の効果】
以上説明したように、本発明に係る血液成分測定用使捨センサカードは、血液中の測定すべき測定成分に対する反応試薬が設けられた測定部と、別体の測定装置に接続可能な端子とを有する電極系が少なくとも２組形成された基板を備え、少なくとも各電極系の測定部位上を通過する２本以上の独立した流路と、全ての流路の上流端と繋がる一つの血液導入保持部とを有し、前記各流路の下流端に各々吸引用開口を設けているので、必要に応じて、必要な流路に前処理に必要なフィルタを設けるだけで、簡単に、一つの血液から前処理の異なる複数種類の成分の測定を行うことができる。
また、請求項２における発明によれば、前記血液導入保持部に血液の凝集を阻害する物質を付与しているので、測定すべき成分に応じて異なる前処理時間の調整等のために血液導入保持部に血液を一定時間保持していても、血液が凝集してしまうことがない。
また、請求項３における発明によれば、上記した血液成分測定用使捨センサカードにおいて、各流路における吸引開口と電極の測定部位との間の位置に、気体透過性と液体不透過性との両方の性質を具備する封止部材を設けているので、吸引量の微調整を行うことなく、必要量の血液を電極の測定部位上に供給することができる。
さらに、請求項４における発明によれば、上記した血液成分測定用使捨センサカードにおいて、少なくとも一つの流路における測定部と血液保持部との間に、血球分離フィルタを設けているので、血球の分離が必要な成分、例えば、コレステロールや中性脂肪と、それ以外の成分を同時に測定することが可能になる。
また、請求項５における発明によれば、少なくとも流路における前記フィルタを配置した部分をセンサ平面に対して垂直とし、前記血球分離フィルタを、ガラス繊維不織布と多孔性フィルタとを順次積層して構成しているので、流路における血球分離フィルタ部分の占める距離を短くすることができ、また、ガラス繊維不織布で血球の進行を十分に遅らせた後に多孔性フィルタを血液が通過するので、必要量の血漿が得られる前に多孔性フィルタが血球で詰まってしまうことがない。
さらに、請求項６に係る発明によれば、前記前記ガラス繊維不織布に、血球分離促進剤を保持しているので、ガラス繊維フィルタにおける血球進行遅延作用をより増幅させることができる。
また、請求項７における発明によれば、少なくとも一つの流路における測定部と血液保持部との間に、血球及び非ＨＤＬ成分除去フィルタを設けているので、ＨＤＬ成分と、それ以外の成分とを同時に測定することが可能になる。
さらに、請求項８における発明によれば、少なくとも流路における前記フィルタを配置した部分をセンサ平面に対して垂直とし、前記血球及び非ＨＤＬ成分除去フィルタを、非ＨＤＬ沈殿剤を保持したガラス繊維不織布と多孔性フィルタとを順次積層して構成しているので、ガラス繊維不織布において非ＨＤＬ成分をトラップすることができ、かつ、ガラス繊維不織布における血球進行遅延作用により多孔性フィルタに血球が詰まってしまうことがない。
【図面の簡単な説明】
【図１】本発明に係るセンサカードの一実施例の展開斜視図である。
【図２】図１における基板の拡大図である。
本発明に係る
【符号の説明】
Ａ  血液導入保持部
Ｂ  第１測定部
Ｂ１  コレステロール測定用電極
Ｂ２  コレステロール測定用電極
Ｂ３  中性脂肪測定用電極
Ｂ４  中性脂肪測定用電極
Ｂ５  対極
Ｃ  第２測定部
Ｃ１  ＨＤＬ測定用電極
Ｃ２  ＨＤＬ測定用電極
Ｃ３  対極
Ｄ  吸引用開口
Ｅ  吸引用開口
Ｆ  第１流路
Ｇ  第２流路
１  フィルム（ＰＥＴフィルム）
２  フィルム（片面テープ）
２ａ  切欠き
２ｂ  開口
２ｃ  開口
３  フィルム（両面テープ）
３ａ  切欠き
４  フィルム（ＰＥＴフィルム）
４ａ  開口
４ｂ  開口
５  フィルム（両面テープ）
５ａ  開口
５ｂ  開口
６  フィルム（両面テープ）
６ａ  開口
６ｂ  開口
７  フィルム（ＰＥＴフィルム）
７ａ  開口
７ｂ  開口
８  フィルム（両面テープ）
８ａ  細長い開口
８ｂ  細長い開口
９  ガラス繊維不織布（血球分離促進剤レクチンを保持）
１０  ガラス繊維不織布（非ＨＤＬ沈殿剤を保持）
１１  多孔性ポリエステルメンブレン
１２  基板
１３ａ  封止部材
１３ｂ  封止部材
【図１】
2004245735.tif 000003
【図２】
2004245735.tif 000004